(57)【要約】      （修正有）【課題】不安定な高所での作業を容易かつ少なくするとともに、柵用支柱などの資材の落下が防止できる安全性の高いコンクリート構造物用転落防止柵を提供する。【解決手段】コンクリート構造物１の立ち上がり面を形成する型枠を取り外した後に、該立ち上がり面に露出している型枠セパレータ２５にネジ止めする支持金具１１と、支持金具１１に対して着脱自在に支持された柵用支柱１２と、柵用支柱１２に固定する柵用横材１３とを備え、支持金具１１は、コンクリート構造物１の立ち上がり面に接触させる縦向き部１５を備える。【選択図】図１
0003189564.tif 000002
【実用新案登録請求の範囲】
【請求項１】
コンクリート構造物の上面縁部に立ち上げた状態に設置する転落防止柵であって、
前記コンクリート構造物の立ち上がり面を形成する型枠を取り外した後に、該立ち上がり面に露出している型枠セパレータの端部にネジ止めする支持金具と、該支持金具に対して着脱自在に支持された柵用支柱と、該柵用支柱に固定する柵用横材とを備え、
前記支持金具は、前記コンクリート構造物の立ち上がり面に接触させる縦向き部と、該縦向き部と一体に形成され、前記コンクリート構造物の上面に接触させる横向き部とを備え、該縦向き部に前記ボルト止め用のボルトが貫通されるボルト挿入部を備えていることを特徴とするコンクリート構造物用転落防止柵。
【請求項２】
前記支持金具には、前記コンクリート構造物の上面に位置する部分に縦向きに突き出た状態に設置された柵用支柱支持用のスタッド軸を一体に備え、該スタッド軸に前記柵用支柱を着脱自在に支持させるようにした請求項１に記載のコンクリート構造物用転落防止柵。
【請求項３】
前記支持金具の縦向き部のボルト挿入部は、該縦向き部の長さ方向に向けたスリット状に形成している請求項１又は２に記載のコンクリート構造物用転落防止柵。
【請求項４】
前記支持金具の横向き部には、前記コンクリート構造物の上面に対する固定具を貫通する固定具挿入部を備え、該固定具挿入部を通して前記支持金具の横向き部をコンクリート構造物上面に固定できるようにしてなる請求項１〜３の何れか１に記載のコンクリート構造物用転落防止柵。
【考案の詳細な説明】
【技術分野】
【０００１】
本考案は、転落のおそれがあるコンクリート構造物の上面での作業に際し、作業員の転落を防止するためのコンクリート構造物用転落防止柵に関する。
【背景技術】
【０００２】
従来、例えば防波堤ケーソンの上部コンクリートを順次打設する際には、型枠の組立、コンクリートの打設、養生、脱型の工程を、脱型が終わった上部コンクリート上へ移動しつつ、順次繰り返して施工しており、ケーソン上や海中に転落するおそれがある。
【０００３】
このようなコンクリート構造物の構築に際しては、その上面での作業中に作業員の転落を防止するための転落防止柵が必要となっている。ケーソンに限らず、橋梁の上部工等、コンクリート構造物全般においても同様である。
【０００４】
従来使用されているこの種の転落防止柵は、図８、図９に示すように、コンクリート構造物１の立ち上がり面１ａに残されている型枠セパレータ２に対しボルト付ナット３を嵌め合せ、そのボルト部３ａをフォームタイ（登録商標）４に通してナット５を嵌め合せ、該フォームタイ４によって単管支柱６とこれと平行な補助管７を固定している。
【０００５】
このようにしてコンクリート構造物１の縁部に沿って所定間隔毎に立ち上げた状態に設置した単管支柱８に単管パイプなどの柵用横材９を複数段に固定することによって転落防止柵を設置している。
【０００６】
この他、１本の単管支柱の外側を馬乗り状にまたぐ形状の複数のブラケットを使用し、ブラケットの両端を上記立ち上がり面にネジ止めすることによって、単管支柱を固定する転落防止柵が開発されている（例えば特許文献１）。
【先行技術文献】
【特許文献】
【０００７】
【特許文献１】特開２００５−３６４０６号公報
【考案の開示】
【考案が解決しようとする課題】
【０００８】
上述した図８、図９に示すようなフォームタイを使用して単管支柱を固定するものや、特許文献１に示すようにブラケットによって単管支柱を固定する構造の転落防止柵は、単管支柱の固定作業が、コンクリート構造物の立ち上がり面で行われるため、誤って単管支柱等を落下させてしまうことがあり、事故の原因となる危険性があった。
【０００９】
また、ブラケットをネジ止めすることによって単管支柱を固定する方法では、コンクリート構造物の立ち上がり面に対する後付け用のアンカーの設置作業が必要となり、完成品である躯体を傷つける、作業員による高所作業数が多くなる等の問題があった。
【００１０】
本考案は、このような従来の問題に鑑み、躯体を傷つけることなく、不安定な高所での作業を少なくするとともに、柵用支柱などの資材の落下が防止でき、安全性の高いコンクリート構造物用転落防止柵の提供を目的としてなされたものである。
【課題を解決するための手段】
【００１１】
上述した従来の問題を解決するための請求項１に記載の考案の特徴は、コンクリート構造物の上面縁部に立ち上げた状態に設置する転落防止柵であって、前記コンクリート構造物の立ち上がり面を形成する型枠を取り外した後に、該立ち上がり面に露出している型枠セパレータの端部にネジ止めする支持金具と、該支持金具に対して着脱自在に支持された柵用支柱と、該柵用支柱に固定する柵用横材とを備え、前記支持金具は、前記コンクリート構造物の立ち上がり面に接触させる縦向き部と、該縦向き部と一体に形成され、前記コンクリート構造物の上面に接触させる横向き部とを備え、該縦向き部に前記ボルト止め用のボルトが貫通されるボルト挿入部を備えていることにある。
【００１２】
請求項２に記載の考案の特徴は、請求項１の構成に加え、前記支持金具には、前記コンクリート構造物の上面に位置する部分に縦向きに突き出た状態に設置された柵用支柱支持用のスタッド軸を一体に備え、該スタッド軸に前記柵用支柱を着脱自在に支持させるようにしたことにある。
【００１３】
請求項３に記載の考案の特徴は、請求項１又は２の構成に加え、前記支持金具の縦向き部のボルト挿入部は、該縦向き部の長さ方向に向けたスリット状に形成していることにある。
【００１４】
請求項４に記載の考案の特徴は、請求項１〜３の何れか１の構成に加え、前記支持金具の横向き部には、前記コンクリート構造物の上面に対する固定具を貫通する固定具挿入部を備え、該固定具挿入部を通して前記支持金具の横向き部をコンクリート構造物上面に固定できるようにしたことにある。
【考案の効果】
【００１５】
本考案は、請求項１に記載のように、コンクリート構造物の立ち上がり面を形成する型枠を取り外した後に、該立ち上がり面に露出している型枠セパレータの端部にネジ止めする支持金具と、該支持金具に対して着脱自在に支持された柵用支柱と、該柵用支柱に固定する柵用横材とをもって転落防止柵を構成したことにより、支持金具をコンクリート構造物立ち上がり面に固定するための特別のアンカーの設置が不要であり、しかも型枠セパレータ用のナットに支持金具をボルト止めするものであるため、作業の危険性が少ないものとなる。
【００１６】
また、コンクリート構造物に対する支持金具の固定は、コンクリート構造物立ち上がり面に存在している型枠セパレータを使用して縦向き部のみを固定することによってなすことができる。新たにコンクリート構造物の表面を傷つけることなく、転落防止柵を取り付けでき、取り外し後の傷の補修が不要となるため、コンクリート構造物の上面の見栄えを損なわないだけでなく、傷跡からコンクリートの劣化因子が侵入することを防止できる。
【００１７】
また、支持金具は、前記コンクリート構造物の立ち上がり面に接触させる縦向き部と、該縦向き部と一体に形成され、前記コンクリート構造物の上面に接触させる横向き部とを備え、該縦向き部に前記ボルト止め用のボルトが貫通されるボルト挿入部を備えていることにより、支持金具の着脱作業に際し、横向き材がコンクリート構造物の上面上にあるため、一人で作業できるうえ、支持金具の落下の可能性が低くなり、落下事故が防止される。
【００１８】
本考案は、請求項２に記載のように、支持金具には、コンクリート構造物の上面に位置する部分に縦向きに突き出た状態に設置された柵用支柱支持用のスタッド軸を一体に備え、該スタッド軸に前記柵用支柱を着脱自在に支持させるようにしたことにより、支持金具を軽量化でき、作業性が良くなるため、従ってその着脱作業が容易であり、また、柵用支柱の取り付けは、縦向きのスタッド軸への嵌め合わせで完了するため、支持金具設置後の柵用支柱の交換（長さ調整等）が容易で汎用性および安全性が高い。
【００１９】
本考案は、請求項３に記載のように、支持金具の縦向き部のボルト挿入部は、該縦向き部の長さ方向に向けたスリット状に形成していることにより、アンカーナットとして使用している型枠セパレータ用のナットが多少の上下位置のずれがあっても支障なくボルトの嵌め合せができる。
【００２０】
本考案は、請求項４に記載のように、支持金具の横向き部には、前記コンクリート構造物の上面に対する固定具を貫通する固定具挿入部を備え、該固定具挿入部を通して前記支持金具の横向き部をコンクリート構造物上面に固定できるようにしたことにより、より安定度の高い支持金具固定状態も得られる。
【図面の簡単な説明】
【００２１】
【図１】本考案の第一実施例の使用状態を示す縦断面図である。
【図２】同上の正面図である。
【図３】図１に示すコンクリート構造物用転落防止柵の支持金具の斜視図である。
【図４】（ａ）は同支持金具の平面図、（ｂ）は同側面図、（ｃ）同正面図である。
【図５】本考案の第一実施例の使用状態を示す縦断面図である。
【図６】同上の支持金具の斜視図である。
【図７】同上の支持金具の平面図である。
【図８】従来の転落防止柵例を示す正面図である。
【図９】同部分縦断面図である。
【考案を実施するための最良の形態】
【００２２】
本考案に係るコンクリート構造物用転落防止柵の実施の形態を図面について説明する。
【００２３】
図において符号１はコンクリート構造物であり、１０は本考案の一実施例の転落防止柵である。この転落防止柵１０は、コンクリート構造物１の立ち上がり面１ａにボルト止めする支持金具１１と、この支持金具１１に支持された柵用支柱１２と、この柵用支柱１２に固定する柵用横材１３とから構成されている。
【００２４】
支持金具１１は、コンクリート構造物１の立ち上がり面１ａに沿わせる縦向き部１５と、これと直行する向きに一体に形成され、コンクリート構造物１の上面１ｂに接触される横向き部１６とから構成され、全体が逆Ｌ字型に形成されており、横向き材１６の上面に、柵用支柱支持用のスタッド軸１７が一体に突き出た状態に設置されている。
【００２５】
縦向き部１５及び横向き部１６は、それぞれ矩形状をしたベースプレート１５ａ，１６ａを有し、その各両縁に直角に立ち上がらせたフランジ１５ｂ，１６ｂを一体に有している。両ベースプレート１５ａ，１６ａは、１枚の鋼製板を直角に折り曲げた形状に形成されており、両フランジ１５ｂ，１６ｂも互いに連続した一体の形状に形成されている。
【００２６】
縦向き部１５のベースプレート１５ａには、その長さ方向に長いスリット状のボルト挿入部２０が表裏に貫通して開口されている。
【００２７】
支持金具１１のコンクリート構造物１の立ち上がり面１ａに対する固定は、コンクリート構造物１の脱型後にその表面に露出している型枠セパレータ２５の先端にボルト付ナット２２を嵌め合せ、このボルト部２２ａをボルト挿入部２０に通し、その先端側にナット２１を嵌め合せることによってなされる。図中２３はワッシャーである。
【００２８】
横向き部１６のベースプレート１６ａの上面には、スタッド軸１７が一体に突き出た状態に設置されている。このスタッド軸１７に単管ジョイント３２を介して連結することによって柵用支柱１２が立ち上げた状態に設置されるようになっている。尚、スタッド軸１７と柵用支柱１２のジョイントは、上記単管ジョイント３２を使用することなく、スタッド軸１７と柵用支柱１２が直接嵌め合わされる構造であってもよい。
【００２９】
このようにして支持金具１１を一定間隔毎に設置し、これに柵用支柱１２をそれぞれ立ち上げた状態に設置させる。立ち上げた状態に設置された複数の柵用支柱１２に架け渡して柵用横材１３を複数段配置に固定するようになっている。
【００３０】
このように構成される転落防止柵１０の設置は、まず支持金具１１をコンクリート構造物１に固定する。この固定は、コンクリート構造物１の脱型後、その縁部において、支持金具１１の横向き部１６をコンクリート構造物１の上面１ｂにあてがった状態で縦向き部１５をコンクリート構造物１の立ち上がり面１ａに沿って垂下させ、コンクリート構造物１の脱型後にその表面に露出している型枠セパレータ２５の先端に予め嵌め合せたボルト付ナット２２のボルト部２２ａを、縦向き部１５のボルト挿入部２０に通し、その先端側にワッシャー２３及びナット２１を嵌め合せ、該ナット２１を締め付けて支持金具１１のコンクリート構造物１に対する固定を終了する。
【００３１】
この時、支持金具１１の横向き部１６がコンクリート構造物１の上面１ｂ上にあるため、支持金具１１の落下が防止される。また、ボルト挿入部２０が縦向きのスリット状になっているため、型枠セパレータ２５の位置が多少上下にずれていても支障なく縦向き部１５のコンクリート構造物１に対する固定が可能である。
【００３２】
この例では、型枠設置のために使用した型枠セパレータ２５を使用するため、転落防止柵設置のためのみに使用するアンカーの設置や、取り付け穴の形成を要せず、簡便に取り付けができるとともに、コンクリート構造物表面を傷つけないため、取り外し後の傷の補修が不要であり、コンクリート構造物の上面の見栄えを損なわないだけでなく、傷跡からコンクリートの劣化因子が侵入することを防止できる。
【００３３】
コンクリート構造物１に対する支持金具１１の固定作業が完了した後、該支持金具１１のスタッド軸１７に単管ジョイント３２を介して柵用支柱１２を立ち上げた状態に設置する。このようにして複数の柵用支柱１２を立ち上げた状態に設置した後、それらに架け渡して柵用横材１３を固定し、転落防止柵１０の設置を完了する。
【００３４】
上述した実施例では、縦向き部１５のベースプレート１５ａにのみスリット状のボルト挿入部を設けた場合を示しているが、この他、図５〜図７に示すように、横向き部１６のベースプレート１６ａにも、その長さ方向に長いスリット状のボルト挿入部３０を表裏に貫通して開口させ、このボルト挿入部３０を通してアンカーボルト３１を、コンクリート構造物１の上面１ｂに形成したアンカー用穴内に定着させることにより、横向き部１６も縦向き部１５とともに、コンクリート構造物１ボルト止めするようにしてもよい。尚、第一実施例と同一部分には同一符号を付して重複説明を省略する。
【００３５】
このように、縦向き部１５とともに横向き部１６をもコンクリート構造物１に固定することにより、安全度をより高めることも可能である。
【符号の説明】
【００３６】
１  コンクリート構造物
１ａ  立ち上がり面
１ｂ  上面
１０  転落防止柵
１１  支持金具
１２  柵用支柱
１３  柵用横材
１５  縦向き部
１５ａ  ベースプレート
１５ｂ  フランジ
１６  横向き部
１６ａ  ベースプレート
１６ｂ  フランジ
１７  スタッド軸
２０  ボルト挿入部（縦向き部）
２１  ナット
２２  ボルト付ナット
２２ａ  ボルト部
２３  ワッシャー
２５  セパレータ
３０  ボルト挿入部（横向き部）
３１  アンカーボルト
３２  単管ジョイント
【図１】
0003189564.tif 000003
【図２】
0003189564.tif 000004
【図３】
0003189564.tif 000005
【図４】
0003189564.tif 000006
【図５】
0003189564.tif 000007
【図６】
0003189564.tif 000008
【図７】
0003189564.tif 000009
【図８】
0003189564.tif 000010
【図９】
0003189564.tif 000011